【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
（ａ）エチレンオキシドに由来する単位の部分がポリ（テトラメチレン−コ−エチレンエーテル）グリコール中に約３７超〜約７０モルパーセント、好ましくは約４８〜約５８モルパーセントで存在する、テトラヒドロフランおよびエチレンオキシドを共重合させることによって誘導された構成単位を含むポリ（テトラメチレン−コ−エチレンエーテル）グリコールと、
（ｂ）ポリ（テトラメチレンエーテル）グリコール、ポリ（テトラメチレン−コ−２−メチルテトラメチレンエーテル）グリコール、ポリ（エチレンエーテル）グリコール、ポリ（プロピレンエーテル）グリコール、ポリカーボネートグリコール、ポリエステルグリコール、およびそれらの組み合わせからなる群から選択された高分子グリコールと、
（ｃ）少なくとも１種のジイソシアネートと、
（ｄ）少なくとも１種のジアミン鎖延長剤と
の反応生成物を含むポリウレタンウレアであって、
組み合わせられたポリ（テトラメチレン−コ−エチレンエーテル）グリコールと高分子グリコールとが約６５０ダルトン〜約４０００ダルトンの分子量を有することを特徴とするポリウレタンウレア。
【請求項２】
請求項１に記載のポリウレタンウレア反応生成物を含むことを特徴とするスパンデックス。
【請求項３】
（ａ）エチレンオキシドに由来する単位の部分がポリ（テトラメチレン−コ−エチレンエーテル）グリコール中に約３７超〜約７０モルパーセント、好ましくは約４８〜約５８モルパーセントで存在する、テトラヒドロフランおよびエチレンオキシドを共重合させることによって誘導された構成単位を含むポリ（テトラメチレン−コ−エチレンエーテル）グリコールと、
（ｂ）ポリ（テトラメチレンエーテル）グリコール、ポリ（テトラメチレン−コ−２−メチルテトラメチレンエーテル）グリコール、ポリ（エチレンエーテル）グリコール、ポリ（プロピレンエーテル）グリコール、ポリカーボネートグリコール、ポリエステルグリコール、およびかかるメンバーの組み合わせからなる群から選択された高分子グリコールと、
（ｃ）少なくとも１種のジイソシアネートと、
（ｄ）少なくとも１種のジオール鎖延長剤と
の反応生成物を含むポリウレタンであって、
組み合わせられたポリ（テトラメチレン−コ−エチレンエーテル）グリコールと高分子グリコールとが約６５０ダルトン〜約４０００ダルトンの分子量を有することを特徴とするポリウレタン。
【請求項４】
請求項３に記載のポリウレタンを含むことを特徴とするスパンデックス。
【請求項５】
請求項２または請求項４に記載のスパンデックスを含むことを特徴とする布。
【請求項６】
請求項５に記載の布を含むことを特徴とする衣服または織物品。
【請求項７】
請求項１に記載のポリウレタンウレアを含むことを特徴とする分散系、コーティング、フィルム、接着剤、エラストマー、または造形品。
【請求項８】
請求項５に記載のポリウレタンを含むことを特徴とする分散系、コーティング、フィルム、接着剤、エラストマー、または造形品。
【請求項９】
（ａ）エチレンオキシドに由来する単位の部分がポリ（テトラメチレン−コ−エチレンエーテル）グリコール中に約３７超〜約７０モルパーセント存在する、テトラヒドロフランおよびエチレンオキシドを共重合させることによって誘導された構成単位を含むポリ（テトラメチレン−コ−エチレンエーテル）グリコールと、ポリ（テトラメチレンエーテル）グリコール、ポリ（テトラメチレン−コ−２−メチルテトラメチレンエーテル）グリコール、ポリ（エチレンエーテル）グリコール、ポリ（プロピレンエーテル）グリコール、ポリカーボネートグリコール、およびポリエステルグリコール、ならびにかかるメンバーの組み合わせからなる群から選択された高分子グリコールとを、少なくとも１種のジイソシアネートと接触させてキャップされたグリコールを形成する工程と、
（ｂ）任意選択的に（ａ）の生成物に溶媒を加える工程と、
（ｃ）（ｂ）の生成物を少なくとも１種のジアミンまたはジオール鎖延長剤と接触させる工程と、
（ｄ）（ｃ）の生成物を紡糸してスパンデックスを形成する工程と
を含むことを特徴とするスパンデックスの製造方法。
【手続補正２】
【補正対象書類名】明細書
【補正対象項目名】００６９
【補正方法】変更
【補正の内容】
【００６９】
表１のデータの検討によって分かるかもしれないように、全３つは同じエチレンエーテル含有率を有するが、本発明の実施例は比較例より改善されている。１実施例は、比較例より高いグリコール分子量を有するが、１つは低いグリコール分子量を有する。スパンデックス布工場顧客に最も重要である第１サイクルロードパワーは、比較例スパンデックスより全ての伸びで望ましくも低い。アンロードパワー（収縮力）は、比較例スパンデックスより１００％伸びで望ましくも高く、２００％伸びでは似ている。本発明の応力減衰およびパーセント永久歪みの両方とも比較例より望ましくも低いが、本発明スパンデックスのテナシティおよび伸びは両方とも比較例より望ましくも大きい。
本発明は以下の実施の態様を含むものである。
１．（ａ）エチレンオキシドに由来する単位の部分がポリ（テトラメチレン−コ−エチレンエーテル）グリコール中に約３７超〜約７０モルパーセント、好ましくは約４８〜約５８モルパーセントで存在する、テトラヒドロフランおよびエチレンオキシドを共重合させることによって誘導された構成単位を含むポリ（テトラメチレン−コ−エチレンエーテル）グリコールと、
（ｂ）ポリ（テトラメチレンエーテル）グリコール、ポリ（テトラメチレン−コ−２−メチルテトラメチレンエーテル）グリコール、ポリ（エチレンエーテル）グリコール、ポリ（プロピレンエーテル）グリコール、ポリカーボネートグリコール、ポリエステルグリコール、およびそれらの組み合わせからなる群から選択された高分子グリコールと、
（ｃ）少なくとも１種のジイソシアネートと、
（ｄ）少なくとも１種のジアミン鎖延長剤と
の反応生成物を含むポリウレタンウレアであって、
組み合わせられたポリ（テトラメチレン−コ−エチレンエーテル）グリコールと高分子グリコールとが約６５０ダルトン〜約４０００ダルトンの分子量を有することを特徴とするポリウレタンウレア。
２．高分子グリコールがポリ（テトラメチレンエーテル）グリコール、ポリ（テトラメチレン−コ−２−メチルテトラメチレンエーテル）グリコール、ポリ（プロピレンエーテル）グリコール、ポリカーボネートグリコール、ポリエステルグリコール、またはそれらの組み合わせからなる群から選択され、そして組み合わせられたポリ（テトラメチレン−コ−エチレンエーテル）グリコールと高分子グリコールとが約３５モルパーセント以下の全体百分率のエチレンオキシドに由来する単位を有することを特徴とする前記１に記載のポリウレタンウレア。
３．高分子グリコールがポリ（エチレンエーテル）グリコールであり、そして組み合わせられたポリ（テトラメチレン−コ−エチレンエーテル）グリコールとポリ（エチレンエーテル）グリコールとが約３５〜約７０モルパーセントの全体百分率のエチレンオキシドに由来する単位を有することを特徴とする前記１に記載のポリウレタンウレア。
４．前記１〜前記３のいずれか一項に記載のポリウレタンウレア反応生成物を含むことを特徴とするスパンデックス。
５．ポリ（テトラメチレン−コ−エチレンエーテル）グリコールと高分子グリコールとがそれぞれ、ポリ（テトラメチレン−コ−エチレンエーテル）グリコールのモルと高分子グリコールのモルとの合計の少なくとも１０モルパーセントで存在することを特徴とする前記４に記載のスパンデックス。
６．前記ポリウレタンウレア反応生成物が、ポリ（テトラメチレン−コ−エチレンエーテル）グリコールと高分子グリコールとのモルの合計に対するジイソシアネートのモル比、約１．２〜約２．３を有することを特徴とする前記４に記載のスパンデックス。
７．前記ジイソシアネートが１−イソシアナト−４−［（４−イソシアナト−フェニル）メチル］ベンゼン、１−イソシアナト−２−［（４−イソシアナト−フェニル）メチル］ベンゼン、およびそれらの混合物からなる群から選択されることを特徴とする前記４に記載のスパンデックス。
８．前記ジアミンがエチレンジアミン、２−メチルペンタンジアミン、および１，２−プロパンジアミン、またはそれらの混合物からなる群から選択されることを特徴とする前記４に記載のスパンデックス。
９．前記高分子グリコールがポリ（テトラメチレンエーテル）グリコールであることを特徴とする前記４に記載のスパンデックス。
１０．（ａ）エチレンオキシドに由来する単位の部分がポリ（テトラメチレン−コ−エチレンエーテル）グリコール中に約３７超〜約７０モルパーセント、好ましくは約４８〜約５８モルパーセントで存在する、テトラヒドロフランおよびエチレンオキシドを共重合させることによって誘導された構成単位を含むポリ（テトラメチレン−コ−エチレンエーテル）グリコールと、
（ｂ）ポリ（テトラメチレンエーテル）グリコール、ポリ（テトラメチレン−コ−２−メチルテトラメチレンエーテル）グリコール、ポリ（エチレンエーテル）グリコール、ポリ（プロピレンエーテル）グリコール、ポリカーボネートグリコール、ポリエステルグリコール、およびかかるメンバーの組み合わせからなる群から選択された高分子グリコールと、
（ｃ）少なくとも１種のジイソシアネートと、
（ｄ）少なくとも１種のジオール鎖延長剤と
の反応生成物を含むポリウレタンであって、
組み合わせられたポリ（テトラメチレン−コ−エチレンエーテル）グリコールと高分子グリコールとが約６５０ダルトン〜約４０００ダルトンの分子量を有することを特徴とするポリウレタン。
１１．前記１０に記載のポリウレタンを含むことを特徴とするスパンデックス。
１２．前記４または前記１１に記載のスパンデックスを含むことを特徴とする布。
１３．前記１２に記載の布を含むことを特徴とする衣服または織物品。
１４．前記１に記載のポリウレタンウレアを含むことを特徴とする分散系、コーティング、フィルム、接着剤、エラストマー、または造形品。
１５．前記１２に記載のポリウレタンを含むことを特徴とする分散系、コーティング、フィルム、接着剤、エラストマー、または造形品。
１６．（ａ）エチレンオキシドに由来する単位の部分がポリ（テトラメチレン−コ−エチレンエーテル）グリコール中に約３７超〜約７０モルパーセント存在する、テトラヒドロフランおよびエチレンオキシドを共重合させることによって誘導された構成単位を含むポリ（テトラメチレン−コ−エチレンエーテル）グリコールと、ポリ（テトラメチレンエーテル）グリコール、ポリ（テトラメチレン−コ−２−メチルテトラメチレンエーテル）グリコール、ポリ（エチレンエーテル）グリコール、ポリ（プロピレンエーテル）グリコール、ポリカーボネートグリコール、およびポリエステルグリコール、ならびにかかるメンバーの組み合わせからなる群から選択された高分子グリコールとを、少なくとも１種のジイソシアネートと接触させてキャップされたグリコールを形成する工程と、
（ｂ）任意選択的に（ａ）の生成物に溶媒を加える工程と、
（ｃ）（ｂ）の生成物を少なくとも１種のジアミンまたはジオール鎖延長剤と接触させる工程と、
（ｄ）（ｃ）の生成物を紡糸してスパンデックスを形成する工程と
を含むことを特徴とするスパンデックスの製造方法。